【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
法人の電子証明書の発行を依頼する発行申請データであって、個人番号が記載された発行申請データを受信する受信部と、
前記受信部が受信した前記発行申請データに記載された前記個人番号を検証する個人番号検証部と、
前記個人番号検証部により前記個人番号が検証できた場合に、電子証明書を発行する証明書処理部と、
前記証明書処理部が発行した前記電子証明書を送信する送信部と
を備えた証明書管理装置。
【請求項２】
前記発行申請データには、さらに、法人番号が記載されており、
前記受信部は、前記法人番号が記載された発行申請データを受信し、
前記受信部が受信した前記発行申請データに記載された前記法人番号を検証する法人番号検証部を備え、
前記証明書処理部は、前記法人番号検証部により前記法人番号が検証できた場合に、電子証明書を発行する請求項１に記載の証明書管理装置。
【請求項３】
前記法人番号検証部は、前記法人番号により法人番号データベースを検索して得た法人名を取得し、
前記証明書処理部は、前記法人番号検証部が取得した前記法人名を電子証明書に記載して電子証明書を発行する請求項２に記載の証明書管理装置。
【請求項４】
個人の電子証明書の発行を依頼する発行申請データであって、法人番号が記載された発行申請データを受信する受信部と、
前記受信部が受信した前記発行申請データに記載された前記法人番号を検証する法人番号検証部と、
前記法人番号検証部により前記法人番号が検証できた場合に、前記電子証明書を発行する証明書処理部と、
前記証明書処理部が発行した前記電子証明書を送信する送信部と
を備えた証明書管理装置。
【請求項５】
前記発行申請データには、さらに、個人番号が記載されており、
前記受信部は、前記個人番号が記載された発行申請データを受信し、
前記受信部が受信した前記発行申請データに記載された前記個人番号を検証する個人番号検証部を備え、
前記証明書処理部は、前記個人番号検証部により前記個人番号が検証できた場合に、電子証明書を発行する請求項４に記載の証明書管理装置。
【請求項６】
前記個人番号検証部は、前記個人番号により個人番号データベースを検索して得た氏名を取得し、
前記証明書処理部は、前記個人番号検証部が取得した前記氏名を電子証明書に記載して電子証明書を発行する請求項５に記載の証明書管理装置。
【請求項７】
前記個人番号が前記法人番号に帰属することを検証する帰属検証部を備え、
前記証明書処理部は、前記帰属検証部により前記個人番号が前記法人番号に帰属することが検証できた場合に、電子証明書を発行する請求項２、３、５、６いずれか１項に記載の証明書管理装置。
【請求項８】
個人番号とメールアドレスとを対応させて記憶する個人番号テーブルと、
電子証明書の発行を依頼する発行申請データを受信する受信部と、
前記個人番号テーブルを参照して、前記発行申請データを送信したメールアドレスから個人番号に変換し、前記個人番号を検証する個人番号検証部と、
前記個人番号検証部により前記個人番号が検証できた場合に、電子証明書を発行する証明書処理部と、
前記証明書処理部が発行した前記電子証明書を送信する送信部と
を備えた証明書管理装置。
【請求項９】
法人番号をドメイン名に含む法人番号ドメインとウエブアドレスとを対応させて記憶するドメインテーブルと、
電子証明書の発行を依頼する発行申請データを受信する受信部と、
前記ドメインテーブルを参照して、前記発行申請データを送信したウエブアドレスから法人番号ドメインを取得して、前記法人番号ドメインに含まれた法人番号を検証する法人番号検証部と、
前記法人番号検証部により前記法人番号が認証できた場合に、電子証明書を発行する証明書処理部と、
前記証明書処理部が発行した前記電子証明書を送信する送信部と
を備えた証明書管理装置。
【請求項１０】
前記法人番号検証部は、前記発行申請データに記載された前記法人番号を、法人番号が登録された法人番号データベースに問合せて、前記法人番号を検証する請求項２、３、４、５、６、９いずれか１項に記載の証明書管理装置。
【請求項１１】
前記法人番号検証部は、前記発行申請データに記載された前記法人番号を、法人番号が登録された法人番号データベースに問合せて、法人名を取得するとともに、
前記法人番号検証部は、前記法人番号と前記法人名とを、法人番号と法人名が登録された登記データベースに問合せて、前記法人番号と前記法人名を検証する請求項２、３、４、５、６、９いずれか１項に記載の証明書管理装置。
【請求項１２】
前記法人番号検証部は、前記発行申請データに記載された前記法人番号を、法人番号と法人情報が登録された公的データベースに問合せて、公的データベースの法人情報により前記法人の信頼性をチェックした結果報告により、法人番号を検証する請求項２、３、４、５、６、９いずれか１項に記載の証明書管理装置。
【請求項１３】
前記個人番号検証部は、前記発行申請データに記載された前記個人番号を、個人番号が登録された住民データベースに問合せて、前記個人番号を検証する請求項１、２、３、５、６、８いずれか１項に記載の証明書管理装置。
【請求項１４】
法人番号をドメイン名に含む法人番号ドメインをアドレスに使用して、電子証明書の発行を依頼する発行申請データを受信する受信部と、
前記アドレスに使用された法人番号ドメインに含まれた前記法人番号を検証する法人番号検証部と、
前記法人番号検証部により前記法人番号が検証できた場合に、電子証明書を発行する証明書処理部と、
前記証明書処理部が発行した前記電子証明書を前記アドレスに送信する送信部と
を備えた証明書管理装置。
【請求項１５】
法人の電子証明書の発行を依頼する発行申請データであって、法人番号が記載された発行申請データを受信する受信部と、
前記受信部が受信した前記発行申請データに記載された法人番号を検証する法人番号検証部と、
前記法人番号検証部により前記法人番号が検証できた場合に、電子証明書を発行する証明書処理部と、
前記証明書処理部が発行した前記電子証明書を送信する送信部と
を備え、
前記法人番号検証部は、前記発行申請データに記載された前記法人番号を、法人番号が登録された法人番号データベースに問合せて、法人名を取得するとともに、前記法人番号を検証し、
前記法人番号検証部は、前記法人番号と前記法人名とを、法人番号と法人名が登録された登記データベースに問合せて、前記法人番号と前記法人名を検証する証明書管理装置。
【請求項１６】
前記法人番号検証部は、前記発行申請データに記載された前記法人番号を、法人番号と法人情報が登録された公的データベースに問合せて、公的データベースの法人情報により前記法人の信頼性をチェックした結果報告により、法人番号を検証する請求項１５に記載の証明書管理装置。
【請求項１７】
個人から法人の電子証明書の発行を申請する発行申請データを受信する受信部と、
前記受信部が受信した前記発行申請データの前記個人の個人番号が前記法人の法人番号に帰属することを検証する帰属検証部を備え、
前記帰属検証部により前記個人番号が前記法人番号に帰属することを検証できた場合に、電子証明書を発行する証明書処理部と、
前記証明書処理部が発行した前記電子証明書を送信する送信部と
を備えた証明書管理装置。
【請求項１８】
前記発行申請データには、さらに、ドメインが記載されており、
前記受信部は、前記ドメインが記載された発行申請データを受信し、
前記受信部が受信した前記発行申請データに記載された前記ドメインを検証するドメイン検証部を備え、
前記証明書処理部は、前記ドメイン検証部により前記ドメインが検証できた場合に、電子証明書を発行する請求項１から１７いずれか１項に記載の証明書管理装置。
【請求項１９】
前記発行申請データには、さらに、時刻情報が記載されており、
前記受信部は、前記時刻情報が記載された発行申請データを受信し、
前記受信部が受信した前記発行申請データに記載された前記時刻情報を検証する時刻情報検証部を備え、
前記証明書処理部は、前記時刻情報検証部により前記時刻情報が検証できた場合に、電子証明書を発行する請求項１から１８いずれか１項に記載の証明書管理装置。
【請求項２０】
前記発行申請データには、さらに、位置情報が記載されており、
前記受信部は、前記位置情報が記載された発行申請データを受信し、
前記受信部が受信した前記発行申請データに記載された前記位置情報を検証する位置情報検証部を備え、
前記証明書処理部は、前記位置情報検証部により前記位置情報が検証できた場合に、電子証明書を発行する請求項１から１９いずれか１項に記載の証明書管理装置。